(57)【要約】【課題】  物品収納棚における既存の棚板の高さ調整機能を利用して、地震時などにおける収納物品の飛出しを未然に防止できるようにした。【解決手段】  収納棚本体２０の両側部内壁面における前部と後部側に間隔をおいて縦列されただぼ孔７の一部に、これに嵌合され、かつ前記だぼ孔７からの突出端がフック状をなす係止金具９を複数個対向して設け、両係止金具９間にラバーバンド１０の両端を引掛け係止し、これにより収納物品の落下を防止する。【選択図】      図１
2006212263.tif 000002
【特許請求の範囲】
【請求項１】
前面開口した収納棚本体と、収納棚本体の両側部内壁面における前部と後部側に間隔をおいて縦列されただぼ孔と、各だぼ孔に差込まれるだぼを介して高さ調整可能に設置される複数の棚板とを備えた物品収納棚において、
前記だぼ孔の一部には、これに嵌合され、かつ前記だぼ孔からの突出端がフック状をなす係止金具を複数個設け、
少なくとも一対の前記係止金具を前記だぼ孔に着脱自在に固定し、両係止金具間にバンドの両端を引掛け係止することを特徴とする物品収納棚における落下防止構造。
【請求項２】
前記バンドは、ゴム質の伸縮バンドであることを特徴とする請求項１に記載の物品収納棚における落下防止構造。
【請求項３】
前記だぼ孔には、前記壁面に埋設される雌型のだぼ孔金具が設けられ、前記だぼ孔金具の内側には雌ねじ部が形成され、前記だぼ及び前記係止金具基部のだぼ孔取付部には、前記雌ねじ部に螺合される雄ネジ部が形成されていることを特徴とする請求項１又は２記載の物品収納棚における落下防止構造。
【請求項４】
基部には雄ねじ部が形成され先端部にはフック部が形成される、少なくとも一対の係止金具と、一対の係止金具間に張設されるべきゴム質の伸縮バンドとを具備することを特徴とする物品収納棚における落下防止具。
【発明の詳細な説明】
【技術分野】
【０００１】
本発明は、事務用や家庭用に用いられる書棚、食器棚、飾り棚のごとき主に木製の物品収納棚に用いられる物品落下防止構造及び物品落下防止具に関し、特に棚板の高さ調整機能を利用した構造に係るものである。
【背景技術】
【０００２】
書棚や食器棚などの物品収納棚の耐震対策として、収納棚の頂部と天井部の間に、高さ調整式のいわゆる突っ張り棒を介在したり、収納棚の頂部背面の壁部との間にアングル材やフック及び紐などを介して連結する方法がある。いずれも素人などにより簡単に加工ができ、地震などの揺れが生じた際の物品収納棚そのものの倒れ込み防止対策として好適である。
【０００３】
ところが、このような対策をとったとしても、物品収納棚は建物の揺れに同期して揺れるため、この揺れによる収納物の飛出しなどは防止できない。
このため、例えば棚板の前部上縁に沿って断面Ｌ字形をした金具や板を配置したり、棚板の前部上縁に沿って落し込み用の溝を刻設した構造もある。これらの構造はいずれも飛出そうとする収納物に対するせき止め体となるものである。
【発明の開示】
【発明が解決しようとする課題】
【０００４】
しかしながら、前者のＬ字具を設置する場合には、上下の棚板間の実効高さを制限したり、奥行方向に制限を生じさせ、収納物品の出し入れが面倒となる。また溝方式の場合には、溝側に収納物品が移動落下した際に、角に衝突して収納物品を破損させる虞がある。  また、これら耐震対策では、軽度の揺れに対してはある程度は効果があるものの、大震度の地震に対しては無力であって、強い衝撃慣性により収納物品はこれらせき止め体を越えて飛出し、特に収納棚の前面をガラス戸で覆っている場合などでは、ガラスを突破り、ガラスの破片とともに収納棚の前部床面に散乱して避難路を塞ぎ、結果として被害を拡大する虞があった。
【０００５】
ところで、収納棚本体の両側部内壁面における前部と後部に等間隔をおいて、だぼ孔を縦設し、同一高さ位置の各だぼ孔に前後左右で合計４つのだぼを差込み、その上部に棚板を設置する構造が知られている。この構造では収納物の高さに応じてだぼの差込位置を調整することで任意の高さ位置に棚板を設置できる。
【０００６】
本発明は以上の構造に着目したものであり、物品収納棚における既存の棚板の高さ調整機能を利用して収納物を直接拘束できるようにし、これにより地震時などにおける収納物の飛出しを未然に防止できるようにした物品収納棚における落下防止構造及び落下防止具を提供することを目的としている。
【課題を解決するための手段】
【０００７】
前記課題を解決するための手段を、図の実施の形態を参照して説明する。
すなわち、本発明の落下防止構造は、前面開口した収納棚本体２０と、収納棚本体２０の両側部内壁面における前部と後部側に間隔をおいて縦列されただぼ孔７と、各だぼ孔７に差込まれるだぼ１４を介して高さ調整可能に設置される複数の棚板８とを備えた物品収納棚において、
前記だぼ孔７の一部には、これに嵌合され、かつ前記だぼ孔７からの突出端がフック状をなす係止金具９を複数個設け、
少なくとも一対の係止金具９を前記左右両側のだぼ孔７に着脱自在に固定し、両係止金具９間にバンド１０の両端を引掛け係止することを特徴とする物品収納棚における落下防止構造にある。
【０００８】
前記バンド１０は、ゴム質の伸縮バンドであることを特徴としている。
【０００９】
前記だぼ孔７には、前記壁面に埋設される鬼ナット状雌型のだぼ孔金具１１を有し、だぼ孔金具１１の内面には雌ねじ部１２ｂが形成され、前記だぼ１４及び係止金具９の基部のだぼ孔取付部１４ａ，１５ａには、前記雌ねじ部１２ｂに螺合される雄ネジ部が形成されていることを特徴としている。
【００１０】
上記落下防止構造に用いる用具としての落下防止具は、基部のだぼ孔取付部１４ａ，１５ａに雄ネジ部が形成され先端部にはフック部１５ｃが形成された、少なくとも一対の係止金具９と、一対の係止具９，９間に張設されるべきゴム質の伸縮バンド１０とを具備することを特徴としている。落下防止具には、少なくとも一対の上記だぼ孔金具１１，１１を具備することができる。
【００１１】
上記の落下防止具は、収納棚本体とは別に、セット部品として供給され若しくは販売される。
【発明の効果】
【００１２】
したがって本発明にあっては、棚板９設置位置以外の残余のだぼ孔７の任意の対向する少なくとも二箇所に係止金具９を取付け、そのフック部１５ｃにバンド１０の両端を引掛け係止し、このバンド１０により収納物品ｗの飛び出しを阻止し、または、包囲緊縛することにより収納棚内に収納物品ｗを拘束したままに保持できる。係止金具９の取付位置は、その拘束対象となる収納物品ｗの形状、大きさなどに応じて任意のだぼ孔７箇所に取付けることができる。
【００１３】
この構造によれば、既存の収納棚の要部を改変することなく、固定部品としてアタッチメント式に係止金具９を取付け、バンド１０を掛渡すだけで収納物品ｗの確実な飛び出し阻止及び固定を行うことができる。
【００１４】
バンド１０をラバーバンドにより構成することにより、収納物品ｗを弾力的に拘束でき、収納物品が美術品など不定形の外形のものであっても安全に拘束可能であり、また、収納物品がバンドに当たって損傷するなどの虞もない。
【００１５】
請求項３の発明によれば、係止金具９がねじ込み式に取付けられることにより、強い衝撃慣性による引抜き力が係止金具９の取付位置に加わってもその力に対して十分に抗することができ、確実に収納物品ｗを拘束することができる。
【発明を実施するための最良の形態】
【００１６】
以下本発明の実施の形態につき添付図面を参照して説明する。図１は本発明を適用した物品収納棚を示す正面図（Ａ），横断面図（Ｂ），側断面図（Ｃ）である。
図における物品収納棚は、本棚、食器棚、飾り棚などとして用いられる木製の汎用型収納棚である。
【００１７】
この収納棚の棚本体２０は、両側板１，天板２、底板３、背面板４及び中央の縦仕切板５により左右２つの空間に区画され、かつその上下中央部は固定棚６によって上下２つに区画された前面開口する縦長ボックス状となっている。
【００１８】
そして、縦仕切板５における両側壁部及び両側板１における内壁部の前後部にはそれぞれ縦方向に等間隔をなして複数のだぼ孔７が開口され、このだぼ孔７の適宜位置には後述のだぼ１４を介して縦仕切板５によって区画される左右の空間内部に複数の可動棚としての棚板８が水平に固定されている。各棚板８は、収納棚に収納される収納物品ｗの高さに応じてだぼ孔７の位置を選んで合計４箇所だぼ１４を差込んだうえで、そのだぼ１４の上部に設置されるものである。
【００１９】
また、棚板８の設置位置以外の対向する側板１同士、または左右の側板１と縦仕切板５との対向面における残余のだぼ孔７には、任意の位置のだぼ孔７に、フック状の係止金具９が固定され、各係止金具９間には、伸縮性のラバーバンドよりなる紐状バンド１０の両端が引掛け係止されることにより、所定の張力で係止金具９間に張設されている。
【００２０】
バンド１０は、図の各部に示すように、収納物品ｗの前面位置に横設して収納物品ｗの飛び出しを阻止する柵として使用されたり、その弾性により収納物品ｗの頂部を拘束する、あるいは開口高さが高い位置ではＸ字形に掛渡されて縦長収納物品ｗの前面を拘束する、さらには、図１（Ｃ）下段に示すように、後部側と前部側に掛けて斜めに張設されるなど、だぼ孔７の位置に応じて様々な取付態様が可能である。これらにより、収納棚内に収納される収納物品ｗの飛び出しを阻止し、或いは、収納物品ｗをバンド１０により直接拘束し、地震時などの落下飛出しを未然に防止できるようにしている。
【００２１】
図２（ａ），（ｂ）及び図３（ａ），（ｂ）は、前記だぼ１４（ａ）と係止金具（ｂ）の取付け状態を示す、分解斜視図と断面図である。
【００２２】
だぼ孔７内には、鬼ナット状のだぼ孔金具１１が挿入固定され、このだぼ孔金具１１は、外周に抜止め用返し部１２ａを複数形成し、内周に雌ねじ部１２ｂを形成した筒部１２と、筒部１２の先端外周に一体化されたフランジ１３を備えている。このだぼ孔金具１１は、前記側板１の内壁部または縦仕切板５の両側壁に形成されただぼ孔７内に圧入嵌合されることにより、フランジ１３をこれらの表面に露出させた状態で固定されるものである。
【００２３】
前記だぼ１４は、図２（ａ）及び図３（ａ）に示すように、全体としてピン状をなし、前記雌ねじ部１２ｂにねじ込み固定される雄ねじ部よりなる取付部１４ａと、これの先端に一体化されたこれより大径のピンよりなる支持部１４ｂとからなるもので、図３（ａ）に示すように、だぼ孔金具１１の雌ねじ部１２ｂにねじ込んだ状態で、支持部１４ｂが壁面から突出する。一方、前記棚板８の支持部１４ｂに対する設置位置底部には、位置決め用の凹溝８ａが前後左右合計４箇所切欠き形成され、各支持部１４ｂが正しい高さ位置に固定された状態では、前記凹溝８ａがだぼ１４の支持部１４ｂに嵌合し、安定した設置が可能となっている。
【００２４】
前記係止金具９は、図２（ｂ）及び図３（ｂ）に示すように、全体としてフック金具形状をなし、前記だぼ孔金具１１の雌ねじ部１２ｂにねじ込まれる。
ねじ部よりなる取付部１５ａの先端に、フランジ１５ｂを介して鈎形に一体に突出するフック部１５ｃを一体化したものであり、雄ねじ部１５ａのねじ込みにより前記ラバーバンド１０の張力による引抜きを防止している。
【００２５】
また前記バンド１０の両端にはループ１０ａが形成され、前記フック部１５ｃに弾力的に引掛け係止するようになっている。
【００２６】
なお図示省略するが、張設長さ調整用のバックルなどをループ端に設けるようにしても良いことは勿論である。また、好ましくはラバーバンドとしては透明タイプのものを用いることにより、前記のごとき落下防止器具を装備した場合における拘束状態が目立たず、遠目には単に各棚上に収納物品ｗが設置されているだけに見えるため、見栄えがよいものとなる。
【００２７】
以上において、通常の販売方式としては、前記だぼ孔金具１１は予め収納棚本体２０の側壁１及び縦仕切板５に埋設固定されており、棚板８及びだぼ１４は付属品として収納棚に附属させておき、これを購入したユーザの必要に応じた配置で、だぼ１４の取付と棚板８の設置を行う。本発明においては、これに加えて適宜個数の係止金具９及びバンド１０をセットとして、付属品として同時販売するか、あるいは別売部品として販売することで、だぼ孔７（だぼ孔金具１１）を利用して収納収納物品ｗの落下防止対策をユーザ自身の手で簡単に行うことができることになる。
【００２８】
図４（Ａ），（Ｂ）は、夫々上記とは別の実施の形態に係る係止金具９を示すものである。
図４（Ａ）の係止金具９は、全体として略Ｃ型をなし、だぼ孔金具１１が付属されている。棚本体のだぼ孔７に鬼ナットの挿入がない場合には、所定のだぼ孔７にだぼ孔金具１１を乾挿入して使用する。
図４（Ｂ）の係止金具９は、全体としてコ型をなし、フランジは存在しない。
【００２９】
図５及び図６は、上記の実施の形態とは相違する実施の形態で、収納棚に本発明を適応した例を示す。
例えば、以上説明した実施の形態では、棚本体２０として、仕切板５、６により収納棚を左右に区画したタイプを示したが、仕切がないタイプ（図５）のものにも適用できる。さらに開口前面を引戸式あるいは開閉式のガラス戸で覆うタイプ、さらには抽斗などが付設されているタイプにも適用可能であることは勿論である。
図４乃至図６において、上記図１乃至図３の実施の形態と対応する構成部分には、共通の参照符号を付して、その詳細な説明は省略した。
【００３０】
また、前記実施形態では、バンド１０として、弾性のあるラバーバンドを用いたが、弾性のない紐状のバンドを用いてもさしつかえなく、また、引締め調整機能付の可撓性あるいは硬質バンドに替えても良いことも勿論である。
【図面の簡単な説明】
【００３１】
【図１】本発明を適用した物品収納棚の正面図（Ａ），横断面図（Ｂ）及び縦断面図（Ｃ）である。
【図２】（ａ），（ｂ）は本発明に係るだぼと係止金具の分解斜視図である。
【図３】（ａ），（ｂ）は本発明に係るだぼと係止金具の取付状態を示す部分断面図である。
【図４】（ａ），（ｂ）は夫々本発明の他の実施の形態に係る係止金具の正面図である。
【図５】本発明を適用した物品収納棚の他の実施の形態を示す正面図である。
【図６】本発明を適用した物品収納棚のさらに他の実施の形態を示す正面図（Ａ），横断面図（Ｂ）及び縦断面図（Ｃ）である。
【符号の説明】
【００３２】
１  側板
２  天板
３  底板
４  背面板
５  仕切板
６  固定棚
７  だぼ孔
８  棚板
８ａ  凹溝
９  係止金具
１０  バンド
１０ａ  ループ
１１  だぼ孔金具
１２  筒部
１２ａ  抜止用返し部
１２ｂ  雌ねじ部
１３  フランジ
１４  だぼ
１４ａ  取付部
１４ｂ  支持部
１５ａ  取付部
１５ｂ  フランジ
１５ｃ  フック部
２０  棚本体
ｗ  収納物品
【図１】
2006212263.tif 000003
【図２】
2006212263.tif 000004
【図３】
2006212263.tif 000005
【図４】
2006212263.tif 000006
【図５】
2006212263.tif 000007
【図６】
2006212263.tif 000008